(57)【要約】      （修正有）【課題】支柱管からの抜け止め防止を確実に図ることができ安全性向上に資することが可能な支柱管の装着長さ調整用のストッパー部付きサポートピンを提供する。【解決手段】ストッパー部付きサポートピン１は、工事現場等の支保工において、長さ方向にピン貫通穴を間隔を隔て、かつ、クロス配置に複数箇所設けた支柱体を構成する上部支柱管の装着全長調整用に用いるものであって、上部支柱管に挿通する円環部２と、円環部に一端側を各々取り付けた第１鎖部３、第２鎖部４と、第１鎖部、第２鎖部の各他端側に各々頭部側を連結した一対のピン体５Ａ、５Ｂとを具備し、一対のピン体の各突出端側に、ピン体の上部支柱管のピン貫通穴への装着状態で弾性をもって外部に表出する硬球７を具備するストッパー部６を備える。【選択図】図１
0003231399.tif 000002
【実用新案登録請求の範囲】
【請求項１】
工事現場等の支保工において、長さ方向にピン貫通穴を間隔を隔て、かつ、クロス配置に複数箇所設けた支柱体を構成する支持管の装着長さ調整用に使用するストッパー部付きサポートピンであって、
前記上部支柱管に挿通する円環部と、
この円環部に一端側を各々取り付けた第１鎖部、第２鎖部と、
前記第１鎖部、第２鎖部の各他端側に、各々頭部側を連結した一対のピン体と、
を具備し、
前記一対のピン体の各突出端側に、前記一対のピン体の前記上部支柱管のピン貫通穴への装着状態で、弾性をもって外部に表出する硬球を具備するストッパー部を備えたこと、
を特徴とする支柱管の装着長さ調整用のストッパー部付きサポートピン。
【請求項２】
前記円環部、第１鎖部、第２鎖部、一対のピン体は、鉄材の焼き戻し処理により形成され、かつ、ピンクエッチング処理が施されたものであることを特徴とする請求項１記載の支柱管の装着長さ調整用のストッパー部付きサポートピン。
【請求項３】
前記一対のピン体におけるストッパー部は、一対のピン体の各突出端側においてこの一対のピン体の長さ方向と直交する配置に設けた圧縮スプリング穴と、前記圧縮スプリング穴に内蔵した圧縮スプリングと、この圧縮スプリングの両端に配置され前記圧縮スプリングの弾性力により前記上部支柱管の両壁面に対して出没する一対の鋼球と、を具備することを特徴とする請求項１又は２記載の支柱管の装着長さ調整用のストッパー部付きサポートピン。
【考案の詳細な説明】
【技術分野】
【０００１】
本考案は、支柱管の装着長さ調整用のストッパー部付きサポートピンに関するものであり、詳しくは、工事現場等の支柱体を構成する上部支柱管の長さ調整用に使用して好適な支柱管の装着長さ調整用のストッパー部付きサポートピンに関するものである。
【背景技術】
【０００２】
従来、例えば、解体工事においては、現場において支保工として複数の支柱管（上部支柱管、下部支柱管）を直列に連結して枠組み足場に用いる支柱体を構築することが行われるが、この際、上部支柱管の下部支柱管に対する装着長さ調整のために、上部支柱管の下部支柱管に対する装着領域の近傍にサポートピンを挿入している。
【０００３】
しかし、このようなサポートピンに関しては、従来、抜け止め防止用のストッパーが無く抜けが生じ易すく危険性が大きいという問題がある。
【０００４】
特許文献１には、対向する管壁の上下に長孔を形成したねじ管を上端に固設した腰管と、腰管上端に挿入される差込管とからなり、両管体嵌合時の重合部分の横断方向に形成された差込管のビン孔と腰管の長孔による貫通孔にサポートピンを挿通させるとともに、前記ねじ管に螺合したナットで前記ビンを支持して前記差込管の高さ調節を可能としたパイプ式サポートにおいて、前記サポートピンは、腰管に取付条で取付けられ、且つ、ピン一端を前記腰管の長孔の幅よりも大径となし、他の部分をピン孔径、並びに、長孔帽よりも小さくし、管体横断方向に挿入した状態で他端側ピン体は管外へ突出する長さとし、該管体外への突出却に、貫通孔や同溝等による係止受部を設け、該係止受部に前記腰管に取付けチェーンで取付けたビン、挾持クリップ等の係止具を着脱可能に取りつけてなるパイプ式サポートが提案されている。
【０００５】
しかし、特許文献１のパイプ式サポートにおいても、係止受部に対して前記腰管に取付けチェーンで取付けたビン、挾持クリップ等の係止具を着脱可能に取り付けただけの構成であり、やはり抜け止め防止用の対策としては不十分であった。
【先行技術文献】
【特許文献】
【０００６】
【特許文献１】実開昭６１−２０６５０号公報
【考案の概要】
【考案が解決しようとする課題】
【０００７】
本考案は、従来における上記事情に鑑み開発されたものであり、支柱管からの抜け止め防止を確実に図ることができ安全性向上に資することが可能な支柱管の装着長さ調整用のストッパー部付きサポートピンを提供するものである。
【課題を解決するための手段】
【０００８】
本考案に係る支柱管の装着長さ調整用のストッパー部付きサポートピンは、工事現場等の支保工において、長さ方向にピン貫通穴を、間隔を隔て、かつ、クロス配置に複数箇所設けた支柱体を構成する支持管の装着全長調整用に用いるものであって、前記上部支柱管に挿通する円環部と、この円環部に一端側を各々取り付けた第１鎖部、第２鎖部と、前記第１鎖部、第２鎖部の各他端側に各々頭部側を連結した一対のピン体とを具備し、前記一対のピン体の各突出端側に前記一対のピン体の前記上部支柱管のピン貫通穴への装着状態で弾性をもって外部に表出する硬球を具備するストッパー部を備えること、を最も主要な特徴とする。
【考案の効果】
【０００９】
請求項１記載の考案によれば、ピン体の上部支柱管からの抜け止め防止を確実に図ることができ安全性向上に資することが可能な支柱管の装着長さ調整用のストッパー部付きサポートピンを実現し提供することができる。
【００１０】
請求項２記載の考案によれば、請求項１記載の考案における前記円環部、第１鎖部、第２鎖部、一対のピン体は、鉄材の焼き戻し処理により形成されて、かつ、ピンクエッチング処理が施されたものであることから、強度に優れ外観形態も良好な支柱管の装着長さ調整用のストッパー部付きサポートピンを実現し提供することができる。
【００１１】
請求項３記載の考案によれば、請求項１又は２記載の考案における前記一対のピン体におけるストッパー部は、一対のピン体の各突出端側においてこの一対のピン体の長さ方向と直交する配置に設けた圧縮スプリング穴と、前記圧縮スプリング穴に内蔵した圧縮スプリングと、この圧縮スプリングの両端に配置され前記圧縮スプリングの弾性力により前記上部支柱管の両壁面に対して出没する一対の鋼球と、を具備する構成としたものであるから、前記前記圧縮スプリングの弾性力を利用した一対の鋼球の出没作用によりピン体の上部支柱管からの抜け止め防止を確実に図ることができ安全性向上に資することが可能な柱管に使用するストッパー部付きサポートピンを実現し提供することができる。
【図面の簡単な説明】
【００１２】
【図１】図１は本考案の実施例に係る支柱管の柱管の装着全長調整用に用いるストッパー部付きサポートピンの全体構成を示す概略斜視図である。
【図２】図２は本実施例に係る支柱管の装着長さ調整用のストッパー部付きサポートピンの部品一覧図である。
【図３】図３は本実施例に係る支柱管の装着長さ調整用のストッパー部付きサポートピンを使用した上部支柱管の下部支柱管に対する差し込み状態を示す概略斜視図である。
【図４】図４は本実施例に係る支柱管の装着長さ調整用のストッパー部付きサポートピンを使用した上部支柱管と下部支柱管とを嵌め合わせ、支柱体を構成する場合の支柱体の全長調整を行う状態の概略斜視図である。
【図５】図５は本実施例に係る部支柱管の装着長さ調整用のストッパー部付きサポートピンを使用した上部支柱管と下部支柱管とを嵌め合わせ、支柱体を構成した完成状態を示す概略斜視図である。
【考案を実施するための形態】
【００１３】
本考案は、支柱管からの抜け止め防止を確実に図ることができ安全性向上に資することが可能な支柱管の装着長さ調整用のストッパー部付きサポートピンを提供するという目的を、工事現場等の支保工において、長さ方向にピン貫通穴を、間隔を隔て、かつ、クロス配置に複数箇所設けた支柱体を構成する支持管の装着全長調整用に用いるストッパー部付きサポートピンであって、前記上部支柱管に挿通する円環部と、この円環部に一端側を各々取り付けた第１鎖部、第２鎖部と、前記第１鎖部、第２鎖部の各他端側に各々頭部側を連結した一対のピン体と、を具備し、前記一対のピン体の各突出端側に前記一対のピン体の前記上部支柱管のピン貫通穴への装着状態で弾性をもって外部に表出する硬球を具備するストッパー部を備え、記一対のピン体におけるストッパー部は、一対のピン体の各突出端側においてこの一対のピン体の長さ方向と直交する配置に設けた圧縮スプリング穴と、前記圧縮スプリング穴に内蔵した圧縮スプリングと、この圧縮スプリングの両端に配置され前記圧縮スプリングの弾性力により前記上部支柱管の両壁面に対して出没する一対の鋼球と、を具備する構成により実現した。
【実施例】
【００１４】
以下、図面を参照して、本考案の実施例に係る支柱管の装着長さ調整用のストッパー部付きサポートピンについて詳細に説明する。
【００１５】
本実施例に係る支柱管の装着長さ調整用のストッパー部付きサポートピン１は、工事現場等々の支保工において、詳細は後述するが、長さ方向にピン貫通穴１２を、間隔を隔て、かつ、クロス配置に複数箇所設けた支柱体１０を構成する上部支柱管１１、下部支柱２１の装着全長調整用に用いるものである。
【００１６】
すなわち、本実施例に係るストッパー部付きサポートピン１は、図１、図２に示すように、主要な構成材を鉄材とするとともに、前記上部支柱管１１に挿通する円環部２と、この円環部２に一端側を各々取り付けた第１鎖部３、第２鎖部４と、前記第１鎖部３、第２鎖部４の各他端側に各々頭部側を連結した一対のピン体５Ａ、５Ｂと、を具備している。
【００１７】
そして、前記一対のピン体５Ａ、５Ｂの各突出端側に、前記一対のピン体５Ａ、５Ｂの前記上部支柱管１１のピン貫通穴１２への装着状態で弾性をもって外部に表出する硬球７を具備するストッパー部６を備えている。
【００１８】
前記一対のピン体５Ａ、５Ｂにおけるストッパー部６について詳述すると、図２に示すように、一対のピン体５Ａ、５Ｂの各突出端側において、この一対のピン体５Ａ、５Ｂの長さ方向と直交する配置に設けた圧縮スプリング穴８と、前記圧縮スプリング穴８に内蔵した圧縮スプリング９と、この圧縮スプリング９の両端に配置され前記圧縮スプリング９の弾性力により前記上部支柱管１１の両壁面に対して出没する前記一対の鋼球７と、を具備している。
【００１９】
また、前記円環部２、第１鎖部３、第２鎖部４、及び一対のピン体５Ａ、５Ｂは、鉄材の焼き戻し処理により形成され、かつ、ピンクエッチング処理が施されたものとしている。
【００２０】
これにより、前記円環部２、第１鎖部３、第２鎖部４、及び一対のピン体５Ａ、５Ｂの強度を各々高めるとともに、外観、形態も良好なものとしている。
【００２１】
なお、ピンクエッチング処理は一例であり、この他の色のエッチング処理を施すことももちろん可能である。
【００２２】
更に、前記第１鎖部３、第２鎖部４に言及すると、第１鎖部３、第２鎖部４は、図２にも示すように、長楕円体状の鎖駒３ａ又は長楕円体状の鎖駒４ａを順に連結して個々に溶接で閉じ各々鎖状とするとともに、第１鎖部３、第２鎖部４の各一端側は前記円環部２に連結している。
【００２３】
また、前記第１鎖部３、第２鎖部４各々の他端側には、小型リング１３ａとピン材１３ｂとを組み立てて形成した一対の三角駒１３を連結し、この一対の三角駒１３を前記一対のピン体５Ａ、５Ｂの頭部に設けた穴に貫通状態で嵌め付ける構成としている。
【００２４】
なお、前記一対の三角駒１３は溶接処理で組み立て、この後バリ取り、研磨を行い、前記長楕円体状の鎖駒３ａ又は長楕円体状の鎖駒４ａや一対のピン体５Ａ、５Ｂの動きが円滑になるようにしている。
【００２５】
この他、前記円環部２、第１鎖部３、第２鎖部４、及び一対のピン体５Ａ、５Ｂの各接合部分については、バリ取り、溶接スラグの除去を行い、本実施例のストッパー部付きサポートピン１の各要素の取り扱い性の容易化と安全性確保を図っている。
【００２６】
次に、図３乃至図５を参照して、本実施例に係る上部支柱管１１の長さ調整用に用いるストッパー部付きサポートピン１を使用した上部支柱管１１の下部支柱管２１に対する差し込み状態、及び支柱体１０やの完成状態について説明する。
【００２７】
図３は、ストッパー部付きサポートピン１を使用した上部支柱管１１の下部支柱管２１に対する差し込み状態を示すものである。
【００２８】
前記上部支柱管１１に前記円環部２を挿通するとともに、前記一対のピン体５Ａ、５Ｂのうちのピン体５Ａを上部支柱管１１のピン貫通穴１２に貫通する状態で嵌め込み、上部支柱管１１の壁面からストッパー部６の鋼球７を表出させる。
【００２９】
これにより、前記ピン体５Ａの抜け止めを確実に図ることができる。
【００３０】
なお、図３中、１１ａは上部支柱管１１と一体の上部台板である。
【００３１】
また、前記下部支柱管２１は、下端部に下部台板２１ａを一体に備えるとともに、この下部支柱管２１の上部側に、前記ピン貫通穴１２と同様なピン貫通穴２２、１８０度対向配置とした一対の反欠き穴部２３、上部固定ボルト２５を設けたネジ筒部２４を配置している。
【００３２】
前記ネジ筒部２４は、雄ネジ、雌ネジ構造で前記下部支柱管２１の上部に螺合されるとともに、折り畳みハンドル３２付きのネジ筒回転操作ソケット３１を具備している。
【００３３】
そして、上部支柱管１１の下部側を下部支柱管２１に対して前記ピン体５Ａが前記一対の反欠き穴部２３に当接するまで差し込む。
【００３４】
次に、図４に示すように、前記一対のピン体５Ａ、５Ｂのうちのピン体５Ｂを前記ピン貫通穴２２に挿通し、既述した場合と同様にして前記ピン体５Ｂの抜け止め防止を図るとともに、前記上部固定ボルト２５を締め付けて前記ネジ筒部２３と、上部支柱管１１とを強固に連結する。
【００３５】
この状態で、図４に示すように、前記ネジ筒回転操作ソケット３１の折り畳みハンドル３２を操作して前記上部支柱管１１に連結したネジ筒部２３と、前記下部支柱管２１との螺合位置を調整することで、図５に示すように、所望の全長を有する支柱体１０の組み立てが完了する。
【００３６】
以上説明した本実施例のストッパー部６付きのサポートピン１によれば、前記上部支柱管１１やネジ筒部２３からのピン体５Ａ、５Ｂの脱落を確実に防止することができる。
【産業上の利用可能性】
【００３７】
本考案に係る支柱管の装着長さ調整用のストッパー部付きサポートピンは、建設現場や土木現場等々において、特に仮設足場用の支柱体を組み立てる場合において好適に利用できる。
【符号の説明】
【００３８】
１    ストッパー部付きサポートピン
２    円環部
３    第１鎖部
３ａ  鎖駒
４    第２鎖部
４ａ  鎖駒
５Ａ  ピン体
５Ｂ  ピン体
６    ストッパー部
７    硬球
８    圧縮スプリング穴
９    圧縮スプリング
１０    支柱体
１１    上部支柱管
１１ａ  上部台板
１２    ピン貫通穴
１３    三角駒
１３ａ  小型リング
１３ｂ  ピン材
２１    下部支柱管
２１ａ  下部台板
２２    ピン貫通穴
２３    反欠き穴部
２４    ネジ筒部
２５    上部固定ボルト
３１    ネジ筒回転操作ソケット
３２    折り畳みハンドル
【図１】
0003231399.tif 000003
【図２】
0003231399.tif 000004
【図３】
0003231399.tif 000005
【図４】
0003231399.tif 000006
【図５】
0003231399.tif 000007
【手続補正書】
【提出日】令和3年1月12日(2021.1.12)
【手続補正１】
【補正対象書類名】明細書
【補正対象項目名】０００８
【補正方法】変更
【補正の内容】
【０００８】  本考案に係る支柱管の装着長さ調整用のストッパー部付きサポートピンは、工事現場等の支保工において、長さ方向にピン貫通穴を、間隔を隔て、かつ、クロス配置に複数箇所設けた支柱体を構成する上部支柱管、下部支柱管の装着全長調整用に用いるものであって、前記上部支柱管に挿通する円環部と、この円環部に一端側を各々取り付けた第１鎖部、第２鎖部と、前記第１鎖部、第２鎖部の各他端側に各々頭部側を連結した一対のピン体とを具備し、前記一対のピン体の各突出端側に前記一対のピン体の前記上部支柱管のピン貫通穴への装着状態で弾性をもって外部に表出する硬球を具備するストッパー部を備えること、を最も主要な特徴とする。
【手続補正２】
【補正対象書類名】明細書
【補正対象項目名】００１３
【補正方法】変更
【補正の内容】
【００１３】  本考案は、支柱管からの抜け止め防止を確実に図ることができ安全性向上に資することが可能な支柱管の装着長さ調整用のストッパー部付きサポートピンを提供するという目的を、工事現場等の支保工において、長さ方向にピン貫通穴を、間隔を隔て、かつ、クロス配置に複数箇所設けた支柱体を構成する上部支柱管、下部支柱管の装着全長調整用に用いるストッパー部付きサポートピンであって、前記上部支柱管に挿通する円環部と、この円環部に一端側を各々取り付けた第１鎖部、第２鎖部と、前記第１鎖部、第２鎖部の各他端側に各々頭部側を連結した一対のピン体と、を具備し、前記一対のピン体の各突出端側に前記一対のピン体の前記上部支柱管のピン貫通穴への装着状態で弾性をもって外部に表出する硬球を具備するストッパー部を備え、記一対のピン体におけるストッパー部は、一対のピン体の各突出端側においてこの一対のピン体の長さ方向と直交する配置に設けた圧縮スプリング穴と、前記圧縮スプリング穴に内蔵した圧縮スプリングと、この圧縮スプリングの両端に配置され前記圧縮スプリングの弾性力により前記上部支柱管の両壁面に対して出没する一対の鋼球と、を具備する構成により実現した。
【手続補正３】
【補正対象書類名】実用新案登録請求の範囲
【補正対象項目名】請求項１
【補正方法】変更
【補正の内容】
【請求項１】
工事現場等の支保工において、長さ方向にピン貫通穴を間隔を隔て、かつ、クロス配置に複数箇所設けた支柱体を構成する上部支柱管、下部支柱管の装着長さ調整用に使用するストッパー部付きサポートピンであって、  前記上部支柱管に挿通する円環部と、  この円環部に一端側を各々取り付けた第１鎖部、第２鎖部と、  前記第１鎖部、第２鎖部の各他端側に、各々頭部側を連結した一対のピン体と、  を具備し、  前記一対のピン体の各突出端側に、前記一対のピン体の前記上部支柱管のピン貫通穴への装着状態で、弾性をもって外部に表出する硬球を具備するストッパー部を備えたこと、  を特徴とする支柱管の装着長さ調整用のストッパー部付きサポートピン。